(57)【特許請求の範囲】
【請求項１】
基部の一側に設けられた支持台、上記基部の他側に上記支持台から離れて対向して設けられた側板及びこの側板に形成されて底面が上記支持台に対面した凹所を有するハウジングと、上記支持台及び側板の間に架設された支持軸と、この支持軸に枢持されて上記支持台側の外周面に駆動綱溝が設けられ、上記側板側が上記凹所に空隙を形成して嵌合されると共に上記側板側の端面に凹部が形成された回転体と、上記側板の凹所における上記回転体の外周面との対向内周面に設けられた固定子及び上記回転体の外周面に設けられて上記固定子に対向して配置された永久磁石からなる駆動電動機と、上記回転体の凹部に配置されたエンコーダと、上記回転体の凹部底面に配置され、上記側板に設けられた操作孔に対向して配置されて上記凹部底面にねじ込まれた取付ねじによって、上記凹部底面に締結された上記エンコーダの回転側取付板と、上記側板から上記エンコーダに向かって突設されて突出端が上記エンコーダの固定側箱体の外周面対応位置に配置された取付腕と、一側が上記エンコーダの固定側箱体の上記側板側に連結され、他側は、上記側板に設けられた操作孔に対向して配置されて上記取付腕にねじ込まれた取付ねじによって上記取付腕に締結された取付用板ばねとを備えたエレベーター用巻上機。
【発明の詳細な説明】
【０００１】
【発明の属する技術分野】
この発明は、駆動綱車及び駆動電動機が一体的に形成されて、回転軸線に沿う方向の外形寸法が短く構成されて薄形に形成されたエレベーター用巻上機に関する。
【０００２】
【従来の技術】
図２は、例えば特開平９−１０５６４３号公報に示されたエンコーダの装着構造に類似した構成によってエンコーダが装着された従来のエレベーター用巻上機を示す縦断面図である。図において、１はハウジングで、基部２、基部２の一側に設けられた支持台３、基部２の他側に支持台３から離れて対向して設けられた側板４及び側板４に形成されて底面が支持台３に対面した凹所５が形成されている。
【０００３】
６は支持台３及び側板４の間に架設された支持軸、７は回転体で、支持軸６に枢持されて支持台３側の外周面に駆動綱溝８が設けられ、側板４側が側板４の凹所５に空隙を形成して嵌合されると共に、側板４側の端面に凹部９が形成されている。１０は駆動電動機で、側板４の凹所５における回転体７の外周面との対向内周面に設けられた固定子１１及び回転体７の外周面に設けられて固定子１１に対向して配置された永久磁石１２によって構成されている。
【０００４】
１３は回転体７の凹部９に配置されたエンコーダ、１４はエンコーダ１３の回転側取付板で回転体７の凹部９底面に配置され、側板４に設けられて支持軸６の回りに配置された操作孔１５に対向して配置されて回転体７の凹部９底面にねじ込まれた取付ねじ１６によって、回転体７の凹部９底面に締結されている。１７は取付腕で、側板４からエンコーダ１３に向かって突設されてエンコーダ１３の固定側箱体１８の外周面を囲み、突出端がエンコーダ１３の固定側箱体１８における支持台３側の端面よりも支持台３側に突出した位置に配置されている。
【０００５】
１９は取付用板ばねで、一側がエンコーダ１３の固定側箱体１８における支持台３側の端面に連結され、他側は取付腕１７に、側板４に設けられた操作孔１５に対向して配置されて取付腕１７にねじ込まれた取付ねじ２０によって締結されている。
【０００６】
従来のエレベーター用巻上機は上記のように構成され、駆動電動機１０が付勢されると回転体７が回転し、駆動綱溝８に巻掛けられたエレベーターの主索（図示しない）が駆動される。また、回転体７の回転によってエンコーダ１３が回転して回転体７の回転速度、すなわちエレベーターの昇降速度等を検出するようになっている。なお、巻上機をエレベーターの昇降路内等の狭いスペースに設置するために、駆動綱車及び駆動電動機が一体的に構成されて回転軸線に沿う方向の外形寸法を短くして極力薄形に形成される。
【０００７】
【発明が解決しようとする課題】
上記のような従来のエレベーター用巻上機では、取付腕１７が側板４から突設されて突出端がエンコーダ１３の固定側箱体１８における支持台３側の端面よりも支持台３側に突出した位置に配置されている。このため、回転体７とハウジング１の側板４との間に無駄なスペースが形成されるので、エレベーター用巻上機の回転軸線に沿う方向の外形寸法の短縮、すなわち薄形化が制約されるという問題点があった。
【０００８】
また、エンコーダ１３の固定側箱体１８は取付用板ばね１９を介して取付腕１７に装着される。そして、取付用板ばね１９を取付腕１７に締結する取付ねじ２０が、側板４の操作孔１５から奥まった位置に配置される。したがって、保守時におけるエンコーダ１３の固定側箱体１８の交換時に、取付ねじ２０の着脱作業性が悪く煩雑な手数を要する。
【０００９】
この発明は、かかる問題点を解消するためになされたものであり、駆動綱車及び駆動電動機を一体的に設けた構成であって、回転軸線に沿う方向の外形寸法を短くして薄形に形成されるエレベーター用巻上機を得ることを目的とする。
【００１０】
【課題を解決するための手段】
この発明に係るエレベーター用巻上機においては、基部の一側に設けられた支持台、基部の他側に支持台から離れて対向して設けられた側板及びこの側板に形成されて底面が支持台に対面した凹所を有するハウジングと、支持台及び側板の間に架設された支持軸と、この支持軸に枢持されて支持台側の外周面に駆動綱溝が設けられ、側板側が側板の凹所に空隙を形成して嵌合されると共に側板側の端面に凹部が形成された回転体と、側板の凹所における回転体の外周面との対向内周面に設けられた固定子及び回転体の外周面に設けられて固定子に対向して配置された永久磁石からなる駆動電動機と、回転体の凹部に配置されたエンコーダと、回転体の凹部底面に配置され、側板に設けられた操作孔に対向して配置されて凹部底面にねじ込まれた取付ねじによって、凹部底面に締結されたエンコーダの回転側取付板と、側板からエンコーダに向かって突設されて突出端がエンコーダの固定側箱体の外周面対応位置に配置された取付腕と、一側がエンコーダの固定側箱体の側板側に連結され、他側は、側板に設けられた操作孔に対向して配置されて取付腕にねじ込まれた取付ねじによって取付腕に締結された取付用板ばねとが設けられる。
【００１１】
【発明の実施の形態】
実施の形態１．
図１は、この発明の実施の形態の一例を示す縦断面図である。図において、１はハウジングで、基部２、基部２の一側に設けられた支持台３、基部２の他側に支持台３から離れて対向して設けられた側板４及び側板４に形成されて底面が支持台３に対面した凹所５が形成されている。６は支持台３及び側板４の間に架設された支持軸である。
【００１２】
７は回転体で、支持軸６に枢持されて支持台３側の外周面に駆動綱溝８が設けられ、側板４側が側板４の凹所５に空隙を形成して嵌合されると共に、側板４側の端面に凹部９が形成されている。１０は駆動電動機で、側板４の凹所５における回転体７の外周面との対向内周面に設けられた固定子１１及び回転体７の外周面に設けられて固定子１１に対向して配置された永久磁石１２によって形成されている。
【００１３】
１３は回転体７の凹部９に配置されたエンコーダ、１４はエンコーダ１３の回転側取付板で回転体７の凹部９底面に配置され、側板４に設けられて支持軸６の回りに配置された操作孔１５に対向して配置されて回転体７の凹部９底面にねじ込まれた取付ねじ１６によって、回転体７の凹部９底面に締結されている。２１は取付腕で、側板４からエンコーダ１３に向かって突設されて突出端がエンコーダ１３の固定側箱体１８の外周面に対応した位置に配置されている。
【００１４】
２２は取付用板ばねで、一側がエンコーダ１３の固定側箱体１８における側板４側の端面に連結され、他側は取付腕２１に、側板４に設けられた操作孔１５に対向して配置されて取付腕２１にねじ込まれた取付ねじ２３によって締結されている。
【００１５】
上記のように構成されたエレベーター用巻上機において、駆動電動機１０が付勢されると回転体７が回転し、駆動綱溝８に巻掛けられたエレベーターの主索（図示しない）が駆動される。また、回転体７の回転によってエンコーダ１３が回転して回転体７の回転速度、すなわちエレベーターの昇降速度等が検出される。そして、取付腕２１が側板４から突設されて突出端がエンコーダ１３の固定側箱体１８の外周面に対応した位置に配置される。
【００１６】
このような構成において、側板４から突設された取付腕２１の突出端がエンコーダ１３の固定側箱体１８の外周面に対応した位置に配置される。そして、エンコーダ１３の固定側箱体１８が、取付用板ばね２２を介して取付ねじ２３により取付腕２１に締結される。このため、回転体７とハウジング１の側板４との間に無駄なスペースが形成されず、回転体７に対して側板４が接近した位置に配置される。
【００１７】
したがって、エレベーター用巻上機の回転軸線に沿う方向の外形寸法を短縮することができて巻上機を薄形化できる。これにより、巻上機をエレベーターの昇降路内等の狭いスペースに容易に設置することができ、エレベーターが設置される建築構造体の構築費用を節減できて、エレベーターの設置費用を低減することができる。
【００１８】
また、一側がエンコーダ１３の固定側箱体１８に装着された取付用板ばね２２を取付腕２１に締結する取付ねじ２３の頭部が、側板４の操作孔１５近くに配置される。このため、保守時等におけるエンコーダ１３の固定側箱体１８の交換時に取付ねじ２３を容易に着脱することができ、保守作業の能率を向上することができる。
【００１９】
【発明の効果】
この発明は以上説明したように、基部の一側に設けられた支持台、基部の他側に支持台から離れて対向して設けられた側板及びこの側板に形成されて底面が支持台に対面した凹所を有するハウジングと、支持台及び側板の間に架設された支持軸と、この支持軸に枢持されて支持台側の外周面に駆動綱溝が設けられ、側板側が側板の凹所に空隙を形成して嵌合されると共に側板側の端面に凹部が形成された回転体と、側板の凹所における回転体の外周面との対向内周面に設けられた固定子及び回転体の外周面に設けられて固定子に対向して配置された永久磁石からなる駆動電動機と、回転体の凹部に配置されたエンコーダと、回転体の凹部底面に配置され、側板に設けられた操作孔に対向して配置されて凹部底面にねじ込まれた取付ねじによって、凹部底面に締結されたエンコーダの回転側取付板と、側板からエンコーダに向かって突設されて突出端がエンコーダの固定側箱体の外周面対応位置に配置された取付腕と、一側がエンコーダの固定側箱体の側板側に連結され、他側は、側板に設けられた操作孔に対向して配置されて取付腕にねじ込まれた取付ねじによって取付腕に締結された取付用板ばねとを設けたものである。
【００２０】
これによって、取付腕が側板から突設されて突出端がエンコーダの固定側箱体の外周面に対応した位置に配置される。そして、エンコーダの固定側箱体が、取付用板ばねを介して取付ねじにより取付腕に締結される。このため、回転体とハウジングの側板との間に無駄なスペースが形成されず、回転体に対して側板が接近した位置に配置される。したがって、エレベーター用巻上機の回転軸線に沿う方向の外形寸法を短縮できて巻上機を薄形化することができる。これにより、巻上機をエレベーターの昇降路内等の狭いスペースに容易に設置することができ、エレベーターが設置される建築構造体の構築費用を節減できて、エレベーターの設置費用を低減する効果がある。
【図面の簡単な説明】
【図１】  この発明の実施の形態１を示す縦断面図。
【図２】  従来のエレベーター用巻上機を示す縦断面図。
【符号の説明】
１  ハウジング、    ２  基部、    ３  支持台、    ４  側板、    ５  凹所、    ６  支持軸、    ７  回転体、    ８  駆動綱溝、    ９  凹部、    １０  駆動電動機、    １１  固定子、    １２  永久磁石、    １３  エンコーダ、    １４  回転側取付板、    １５  操作孔、    １６  取付ねじ、    １８  固定側箱体、    ２１  取付腕、    ２２  取付用板ばね、    ２３  取付ねじ。
【図１】
0004606619.tif 000002
【図２】
0004606619.tif 000003